(57)【特許請求の範囲】
【請求項１】
加熱室を有し、該加熱室に食品の出し入れを行う開口部を備えた本体と、
前記本体に軸連結されて前記開口部を開閉自在に覆う扉と、
前記開口部の周囲に形成された前板に設けられたアーム貫通穴を介し、前記扉と前記本体との間に配置されて前記扉の開き角を規制するアームと、
前記前板の裏面に設けられて前記アーム貫通穴の周縁部と前記アームとの間の隙間を遮蔽する遮蔽板と、
前記遮蔽板を前記アーム側に付勢する付勢手段と、
を備えることを特徴とする加熱調理器。
【請求項２】
加熱室を有し、該加熱室に食品の出し入れを行う開口部を備えた本体と、
前記本体に軸連結されて前記開口部を開閉自在に覆う扉と、
前記開口部の周囲に形成された前板に設けられたアーム貫通穴を介し、前記扉と前記本体との間に配置されて前記扉の開き角を規制するアームと、
前記前板の裏面に設けられて前記アーム貫通穴の周縁部と前記アームとの間の隙間を遮蔽する遮蔽板と、を備えた加熱調理器において、
前記本体側の前記遮蔽板の後方に規制部材を設けて、前記前板と前記規制部材との間に前記遮蔽板を挟むように配置することで、前記遮蔽板の前後方向の動きを規制できるようにし、
前記前板の前記アーム貫通穴の内端に凸部を設けるとともに、前記遮蔽板に、前記アーム貫通穴よりも長尺でかつ前記凸部を収容可能な凹部を設けて、前記凸部と前記凹部の側壁が当接することで、前記遮蔽板の幅方向への動きを規制できるようにし、
前記遮蔽板が、前記アーム貫通穴の長手方向のみスライド可能となるように構成したことを特徴とする加熱調理器。
【請求項３】
前記遮蔽板には、前記アームの板厚の寸法と略同一の幅寸法を有し、前記アームが摺動自在に挿通するスリット状の挿通孔が設けられていることを特徴とする請求項１又は２記載の加熱調理器。
【請求項４】
前記遮蔽板の前記スリット状の挿通孔における前記アームと接触する部分に、傾斜面を設けたことを特徴とする請求項３記載の加熱調理器。
【請求項５】
前記遮蔽板を前記アーム側に付勢する付勢手段を設けたことを特徴とする請求項２記載の加熱調理器。
【請求項６】
前記アームは、前記本体における前記扉が軸連結されている側の辺の両側に一対設けられていることを特徴とする請求項１〜５のいずれか一項に記載の加熱調理器。
【請求項７】
前記本体は、内部が加熱室と電気室に画成され、
前記扉は、縦開きの扉であり、
前記扉には、前記電気室に対応する部位に操作部が一体に配置され、
前記本体の前記電気室には、高周波発生手段と、前記高周波発生手段に電源を供給する駆動電力供給手段と、発生した高周波を前記加熱室に導き該加熱室内に供給する導波管とが配置されていることを特徴とする請求項１〜６のいずれか一項に記載の加熱調理器。
【発明の詳細な説明】
【技術分野】
【０００１】
本発明は加熱調理器に関するものである。
【背景技術】
【０００２】
従来、この種の加熱調理器、例えば加熱室を電熱装置で加熱して被加熱物に焦げ目を付ける、いわゆる電熱装置付高周波加熱調理器は、一般に、本体の加熱室前面に縦開きの扉が設けられ、さらに扉を保持するアームと、扉の開閉に連動した発振停止装置と、正面から見て本体の加熱室の右隣に配置された操作パネルと、被加熱物に焦げ目をつける電熱装置と、を有している（例えば、特許文献１参照）。
【先行技術文献】
【特許文献】
【０００３】
【特許文献１】特開平０６−２２１５７３号公報（図２、図９、図１０）
【発明の概要】
【発明が解決しようとする課題】
【０００４】
特許文献１記載の加熱調理器では、扉を保持するアームは、加熱室の開口部を有する前板に形成されたアーム貫通穴に挿通される構造となっている。
【０００５】
また、本体の外装外面（本体の左右側面、背面、天面）においては、外観の向上及び、設置場所周辺部の壁面の温度上昇を低減するために、本体内部からの熱を排出するためのスリットやヨロイ窓等の排気孔の数を少なくしたものや、排気孔を設けないものもある。
【０００６】
このような構成の加熱調理器においては、アーム貫通穴は、アームとの接触がないようにするために、大きな孔が開いており、そのため扉が開いている状態の時に指を挟みこんで怪我をする恐れがある。
【０００７】
また、前板にアーム貫通穴が開いているため、加熱調理時の本体内部の熱がこのアーム貫通穴から、排出されて設置場所周辺部の壁面の温度を上昇させてしまい、壁面の変色等の問題を発生させる恐れもある。
【０００８】
さらに、アームには、扉を付勢するためのばねが接続されているため、左右に振られ易く、アーム貫通穴の端面とアームが接触して異音が発生したり、ばねが外装板に接触して異音が発生する場合がある。
【０００９】
以上のような問題は、アーム貫通穴とアームとの間の隙間が大きく、かつアーム貫通穴内でのアームの横振れを許容していることに起因している。
【００１０】
本発明は、前記のような課題を解決するためになされたもので、アーム貫通穴とアームとの間の隙間を遮蔽できるようにすることを目的としている。
【課題を解決するための手段】
【００１１】
本発明に係る加熱調理器は、加熱室を有し、この加熱室に食品の出し入れを行う開口部を備えた本体と、本体に軸連結されて前記開口部を開閉自在に覆う扉と、開口部の周囲に形成された前板に設けられたアーム貫通穴を介し、扉と本体との間に配置されて扉の開き角を規制するアームと、前板の裏面に設けられてアーム貫通穴の周縁部とアームとの間の隙間を遮蔽する遮蔽板と、遮蔽板をアーム側に付勢する付勢手段と、を備えるものである。
【発明の効果】
【００１２】
本発明の加熱調理器によれば、前板の裏面にアーム貫通穴の周縁部とアームとの間の隙間を遮蔽する遮蔽板を設けるとともに、遮蔽板をアーム側に付勢する付勢手段を備えたので、遮蔽板によってアーム貫通穴の周縁部とアームとの間の隙間を遮蔽することができ、かつアームの横ぶれを抑制することができる。さらに、付勢手段によって遮蔽板を応答良くアームに追従させることができ、確実にアーム貫通穴を塞ぎ、アーム貫通穴への指挟み及び異物の進入防止、熱の漏れ防止、異音防止といった安全性、品質の向上を図ることができる。
【図面の簡単な説明】
【００１３】
【図１】本発明の実施形態に係る加熱調理器の外観を前方より示す斜視図である。
【図２】本発明の実施形態に係る加熱調理器の開扉状態を前方より示す斜視図である。
【図３】本発明の実施形態に係る加熱調理器の外装板の左右側板と天板を外した状態を前方より示す内部構造の斜視図である。
【図４】本発明の実施形態に係る加熱調理器の外装板の左右側板と天板を外した状態を側方より示す内部構造の縦断面図である。
【図５】本発明の実施形態に係る加熱調理器の右側アーム部の内部構造を前方より示す斜視断面図である。
【図６】本発明の実施形態に係る加熱調理器の右側アーム部の詳細を側方より示す内部構造の拡大断面図である。
【図７】本発明の実施形態に係る加熱調理器の外装板の左右側板と天板を外した状態を後方より示す内部構造の斜視図である。
【図８】本発明に係る加熱調理器の左側アーム部の内部構造を後方より示す斜視図である。
【発明を実施するための形態】
【００１４】
以下、図示実施形態により本発明を説明する。
図１は本発明の実施形態に係る加熱調理器の外観を前方より示す斜視図である。図２は本発明の実施形態に係る加熱調理器の開扉状態を前方より示す斜視図である。図３は本発明の実施形態に係る加熱調理器の外装板の左右側板と天板を外した状態を前方より示す内部構造の斜視図である。図４は本発明の実施形態に係る加熱調理器の外装板の左右側板と天板を外した状態を側方より示す内部構造の縦断面図である。
本発明の実施形態に係る加熱調理器は、図１乃至図４のように直方体状に形成した本体１の前面が開口部２となり、この開口部２に、ハンドル２２と窓３を有する扉４がその下部に設けたヒンジ３７（図５参照）を介して開閉自在に取り付けられている。また、扉４には、操作部１４が設けられており、本体１の内部には、外装板１０に覆われた加熱室１１が設けられている。なお、操作部１４は加熱室１１の前面の周辺部に設けてもよい。
【００１５】
外装板１０は、図１及び図２のように左右側面外装板１０ａ，１０ｂと天面外装板１０ｃと背面外装板１０ｄとにより構成されており、そのいずれの外装板１０にも本体内部の熱を逃がすための排気孔は設けられていない。これにより、本体設置場所の周辺部の壁等の温度上昇を抑制することができ、排気孔があった場合のような異物の混入、挿入、液体の浸入等は未然に防止することができる。さらに、排気孔があった場合のような排気孔端面のバリ等による怪我の防止、本体の内部配線の傷つきによる、故障、感電等も未然に防止することができ、安全性の向上が図れる。また、排気孔が無いことで、デザイン性の向上が図れ、多様化するキッチンでの置き場所の選択肢を拡大することができる。
【００１６】
加熱室１１は、開口部２が扉４によって開閉される。また、加熱室１１は、図４のように面材１２である底板１２ａ、側板１２ｂ、後板１２ｃ、天板１２ｄ、前板１２ｅによって、前面の開口した箱状に形成されている。面材１２としては、例えば自己浄化機能を有するセルフクリーニング層を有する鋼板や、表面に防汚性に優れるフッ素コーティングを施した鋼板等が好適である。
【００１７】
天板１２ｄの上方には、図４のように上部加熱部１６が設けられている。上部加熱部１６は、例えば天板１２ｄの加熱室外側の面に密着して配置されたフラットヒーター（マイカ等にヒーター線を巻きつけて、さらにマイカで挟み込んで絶縁したもの）等で構成されており、天板１２ｄには、熱変形防止、均一加熱のための上部絞り部２７が設けてある。
【００１８】
底板１２ａには、図４のように下部絞り部（凹部）２６が設けてあり、下部絞り部２６内に、下部加熱部１７と、マイクロ波放射用のアンテナ１８が配置されている。下部加熱部１７は、例えばシーズヒーター（金属パイプの中にヒーター線を通し絶縁体のパウダーで密封したもの）等で構成されている。マイクロ波放射用のアンテナ１８は、モーター２０に接続されており、高周波加熱調理時にモーター２０によって駆動され、回転するようになっている。そして、セラミック等の誘電体で構成される載置板２８が蓋をする形で加熱室１１と下部加熱部１７とが仕切られている。載置板２８はシリコン接着剤等で固定されている。
【００１９】
後板１２ｃの後方の加熱室外側には、図４のように熱風循環加熱（装置）用の、棒状のヒーター（例えば石英管ヒーター）２９と、ファン（例えば遠心ファン）３０と、ファン３０を駆動するためのモーター３１、プーリー３２ａ，３２ｂ、及びプーリー３２ａ，３２ｂに掛け回されたベルト３３と、遮熱ユニット３４等が配置されている。なお、各部に使用されるヒーターや、ファンの種類や、形状は、限定されるものではなく、それぞれの用途で効果を得られるものを適宜選択可能である。
【００２０】
電気室１３には、図３及び図４のように高周波発生手段であるマグネトロン２１が配置されており、マグネトロン２１と下部絞り部２６とが導波管１９により接続されている。マグネトロン２１は、駆動電力供給手段である高周波電力発生手段３５によって駆動電力が供給されることで、高周波を発振させるものである。マグネトロン２１から発振された高周波は、導波管１９を介してアンテナ１８から加熱室１１内へ放射される。このとき、アンテナ１８は、モーター２０により駆動され、回転している。なお、これらマグネトロン２１及び高周波電力発生手段３５等は、電気室内に設けられた冷却ファン３６ａ，３６ｂによって駆動時に冷却されるようになっている。
【００２１】
扉４の開放は、図２及び図３のように本体を覆っている外装板１０の左右側面外装板１０ａ，１０ｂの近傍に配置されている左右一対のアーム５Ａ，５Ｂによって略水平状態で規制されるようになっている。また、左右一対のアーム５Ａ，５Ｂの間、つまり加熱室１１と電気室１３の間には、扉４の開閉動作に連動して、扉開時に高周波加熱手段を停止させる発振停止装置（図示せず）が設けられている。前板１２ｅには、各アーム５Ａ，５Ｂが挿通するアーム貫通穴６Ａ，６Ｂがそれぞれ設けられている。各アーム貫通穴６Ａ，６Ｂは、各アーム５Ａ，５Ｂの動きに対応して、接触しないようにそれぞれ大きな開口となっている。
【００２２】
図５は本発明の実施形態に係る加熱調理器の右側アーム部の内部構造を前方より示す斜視断面図である。図６は本発明の実施形態に係る加熱調理器の右側アーム部の詳細を側方より示す内部構造の拡大断面図である。図７は本発明の実施形態に係る加熱調理器の外装板の左右側板と天板を外した状態を後方より示す内部構造の斜視図である。図８は本発明に係る加熱調理器の左側アーム部の内部構造を後方より示す斜視図である。
本発明の実施形態に係る加熱調理器は、各アーム貫通穴６Ａ，６Ｂの裏側に、図５乃至図８のようにこれらアーム貫通穴６Ａ，６Ｂの周縁部と各アーム５Ａ，５Ｂとの間の隙間をそれぞれ遮蔽する遮蔽板７Ａ，７Ｂを設けたものである。
【００２３】
これを更に詳述すると、各遮蔽板７Ａ，７Ｂには、図５乃至図８のように各アーム５Ａ，５Ｂがそれぞれ挿入されるスリット状の挿通孔７ａ，７ａが設けられている。各挿通孔７ａ，７ａの幅寸法は、各アーム５Ａ，５Ｂの板厚の寸法と略同一寸法を有している。また、各挿通孔７ａ，７ａには、各アーム５Ａ，５Ｂが接触し摺動する部分にそれぞれ傾斜面７ｂ，７ｂ（図６に右側のみ図示する）が設けられ、各アーム５Ａ，５Ｂの移動時の摩擦抵抗の低減が図れるようになっている。なお、各遮蔽板７Ａ，７Ｂは、各アーム貫通穴６Ａ，６Ｂの裏面側において前板１２ｅと規制部材となるローラー固定台９Ａ，９Ｂとの間にそれぞれ配置され、前後方向の動きが規制されるようになっている。また、前板１２ｅの各アーム貫通穴６Ａ，６Ｂの内端に、バーリング加工や切起こし等によって凸部６ａ，６ａ（図６に右側のみ図示する）が設けられているとともに、各遮蔽板７Ａ，７Ｂに、それぞれ各アーム貫通穴６Ａ，６Ｂよりも長尺でかつ各凸部６ａ，６ａをそれぞれ収容可能な凹部７ｃ，７ｃ（図６に右側のみ図示する）が設けられており、各凹部７ｃ，７ｃの中にそれぞれ凸部６ａ，６ａが入り込むことで、各凹部７ｃ，７ｃの側壁と各凸部６ａ，６ａがそれぞれ当接し、各遮蔽板７Ａ，７Ｂの幅方向への動きをそれぞれ規制できるようにしている。これにより、各遮蔽板７Ａ，７Ｂは、各アーム貫通穴６Ａ，６Ｂの長手方向（上下方向）のみそれぞれスライド可能となり、摺動部分の各傾斜面７ｂ，７ｂの存在により、各遮蔽板７Ａ，７Ｂの上下スライド運動がスムースになされるようになっている。
【００２４】
また、各遮蔽板７Ａ，７Ｂの各挿通孔７ａ，７ａの垂直方向の中心線と各アーム貫通穴６Ａ，６Ｂの垂直方向の中心線は、略一致するように設けられている。このため、各アーム５Ａ，５Ｂは、各アーム貫通穴６Ａ，６Ｂのエッジとそれぞれ一定の距離を保ち接触することがない。
【００２５】
扉４は、図５乃至図８のように左右のヒンジ３７Ａ，３７Ｂと左右のアーム５Ａ，５Ｂ及び左右のばね２５Ａ，２５Ｂによって本体１に取り付けられる。すなわち、まず左右のローラー固定台９Ａ，９Ｂの先端に設けられているヒンジ３７Ａ，３７Ｂに扉４側の軸（扉４の回動中心となる）をそれぞれ連結する。次いで、左右のアーム５Ａ，５Ｂを左右の遮蔽板７Ａ，７Ｂのスリット状の挿通孔７ａ，７ａに通し、前板１２ｅに設けられた左右のアーム貫通穴６Ａ，６Ｂから左右のアーム５Ａ，５Ｂの先端部をそれぞれ貫通させ、各貫通先端のフック状の第１の係止部２３ａ，２３ａ（図５に右側のみ図示する）を扉４側の左右のピン２４、２４（図５に右側のみ図示する）にそれぞれ係止させる。次に、左右のアーム５Ａ，５Ｂの後端の第２の係止部２３ｂ、２３ｂに、扉４を付勢するためのばね２５Ａ，２５Ｂをそれぞれ係止させる。なお、左右のアーム５Ａ，５Ｂは、扉開閉時のスムースな動きをさせるために、それぞれ左右のローラー固定台９Ａ，９Ｂに配設されたローラー８Ａ，８Ｂ上を動く構成となっている。これにより、扉４が本体１に取り付けられ、左右のアーム５Ａ，５Ｂと前板１２ｅの左右のアーム貫通穴６Ａ，６Ｂとの隙間が、裏面側より左右の遮蔽板７Ａ，７Ｂによってそれぞれ閉塞される。
【００２６】
そして、左右の遮蔽板７Ａ，７Ｂは、それぞれ上下方向にのみ移動可能となり、扉４の開閉に伴い左右のアーム５Ａ，５Ｂが各ローラー８Ａ，８Ｂ上を上下する動きをしても、これに追従して動くことが可能となり、扉４の開いている状態及び閉まっている状態のいずれの場合も左右のアーム貫通穴６Ａ，６Ｂを絶えず塞ぐことが可能となる。
【００２７】
なお、左右の遮蔽板７Ａ，７Ｂの上下スライド動作を確実なものとするため、各遮蔽板７Ａ，７Ｂにそれぞれスライド方向（例えば下方向）の付勢を与えるための弾性体、例えばばねを具備した構造としてもよい。これにより、各遮蔽板７Ａ，７Ｂを応答良く左右のアーム５Ａ，５Ｂに追従させることができ、確実にアーム貫通穴６Ａ，６Ｂを塞ぎ、アーム貫通穴６Ａ，６Ｂへの指挟み及び異物の進入防止、熱の漏れ防止、異音防止といった安全性、品質の向上を図ることができる。
【００２８】
また、ここではアーム５Ａ，５Ｂを扉４のヒンジ側の辺の両側に一対設けたものを例に挙げて説明したが、アームがヒンジ側の辺の一方にのみ設けられているものにも本発明を適用できることは言うまでもない。
【産業上の利用可能性】
【００２９】
本発明は、加熱調理器だけでなく、扉の開閉機構にアームを使用している他の機器への応用が可能である。
【符号の説明】
【００３０】
１  本体、２  開口部、３  窓、４  扉、５Ａ，５Ｂ  アーム、６Ａ，６Ｂ  アーム貫通穴、６ａ  凸部、７Ａ，７Ｂ  遮蔽板、７ａ  挿通孔、７ｂ  傾斜面、７ｃ  凹部、８Ａ，８Ｂ  ローラー、９Ａ，９Ｂ  ローラー固定台、１０  外装板、１０ａ  左側面外装板、１０ｂ  右側面外装板、１０ｃ  天面外装板、１０ｄ  背面外装板、１１  加熱室、１２  面材、１２ａ  底板、１２ｂ  側板、１２ｃ  後板、１２ｄ  天板、１２ｅ  前板、１３  電気室、１４  操作部、１６  上部加熱部、１７  下部加熱部、１８  アンテナ、１９  導波管、２０，３１  モーター、２１  マグネトロン、２２  ハンドル、２３ａ  第１の係止部、２３ｂ  第２の係止部、２４  ピン、２５  ばね、２６  下部絞り部、２７  上部絞り部、２８  載置板、２９  熱風循環用のヒーター、３０  ファン、３２ａ，３２ｂ  プーリー、３３  ベルト、３４  遮熱ユニット、３５  高周波電力発生手段（駆動電力供給手段）、３６ａ，３６ｂ  冷却ファン、３７Ａ，３７Ｂ  ヒンジ。
【図１】
0005826041.tif 000002
【図２】
0005826041.tif 000003
【図３】
0005826041.tif 000004
【図４】
0005826041.tif 000005
【図５】
0005826041.tif 000006
【図６】
0005826041.tif 000007
【図７】
0005826041.tif 000008
【図８】
0005826041.tif 000009